(57)【要約】      （修正有）【課題】香気を無駄なく発散し、また香料を衣服や手に付着させることなく簡単に補充することができる香料入りペンダントを提供する。【解決手段】ペンダント１の本体２を、アロマオイルＰを収容可能な透明ガラス製の長尺円筒状の外筒４と、この外筒４の内側に、開放端６に連続して同心円筒状に延び、末端が開口して閉塞端５の近傍に至る内筒７とで構成する。閉塞端５には首掛け紐３を直接又は間接的に連結する取付リング５ａを突設する。外筒４は内筒７を通して外部に開放し、収容した香料の香気を発散させる。開放端６からスポイトを挿入してアロマオイルＰを注入し、下部の閉塞端５内にアロマオイルＰ上面を内筒７の先端より下位の量だけ溜めれば、本体２を傾けて横転させ、さらに上下反転させても内筒７を通じてアロマオイルがこぼれ落ちない。【選択図】図１
0003120073.tif 000002
【実用新案登録請求の範囲】
【請求項１】
内部に香料を収容して香気を発する香料入りペンダントにおいて、
香料を保持可能な閉塞端と、香料を注入すると共に香気を放出するための開放端とを有する長尺の外筒と、
この外筒の開放端に一体に連続し、外筒の内側に間隔を置いて閉塞端の近傍まで延び、先端が開口する内筒とを備え、
閉塞端を上部に配置した状態で、前記内筒と外筒により形成される環状収容部に香料が保持され、内筒を通して外部に香気を発することを特徴とする香料入りペンダント。
【請求項２】
前記外筒が透明体であることを特徴とする請求項１に記載の香料入りペンダント。
【請求項３】
前記内筒内に挿入し、前記オイルを補充可能な適量の目盛りを有するスポイトを具備することを特徴とする請求項１に記載の香料入りペンダント。
【考案の詳細な説明】
【技術分野】
【０００１】
この考案は、アロマオイルなどの香料を入れて香気を発することができるペンダントに関するものである。
【背景技術】
【０００２】
従来、香気を発する装身具として、以下のような構造のものが知られている。
（１）多孔質素材で形成した装身具本体に直接アロマオイルを含浸させるもの、（２）通気孔を設けた装身具本体内にアロマオイルを直接収容したもの、（３）アロマオイルをしみこませた吸水素材を装身具本体に収容したもの、（４）アロマオイルをしみ込ませた通気性素材を収容した容器を装身具本体内に着脱自在に設けたもの（特許文献１）がある。
【特許文献１】特開平１１−１８８０７号公報
【考案の開示】
【考案が解決しようとする課題】
【０００３】
上記装身具のうち、（１）多孔質素材で形成した装身具本体に直接アロマオイルを含浸させるものにおいては、手が直接多孔質素材に触れるので、香りが手や服に移り易いし、ペンダントに雑菌等が触れて変質し香りが分解され易い。（２）通気孔を有する装身具本体内にアロマオイルを直接収容したものにおいては、身体の動きに伴って装身具が揺れ動いたときに通気孔から香料が飛び出しやすく、香料が無駄になり、香料を頻繁に補充しなければならないし、衣服に付着して汚す。（３）アロマオイルをしみこませた吸水素材を収容したものや、（４）アロマオイルをしみ込ませた通気性素材を容器に収容して装身具本体内に組み込むものにおいては、アロマオイルを補充するのに吸水素材の着脱やアロマオイルをしみこませる操作を要し、手間がかかり煩わしく、手などにオイルが付着しやすいという問題がある。
そこで、本発明は、香気を無駄なく長期間にわたって発散させ、しかも香料を簡単に補充することができ、その際に衣服や手にオイルが付着しにくい香料入りペンダントを提供することを課題としている。
【課題を解決するための手段】
【０００４】
上記課題を解決するため、第１の考案においては、内部に香料Ｐを収容して香気を発する香料入りペンダント１を、閉塞端５と、香料Ｐを注入すると共に香気を放出するための開口端６とを有する長尺の外筒４と、この外筒４の開口端６に一体に連続し、外筒の内側に間隔を置いて閉塞端５の近傍まで延び、先端が開口する内筒７とで構成する。閉塞端５を上部に配置した状態で、内筒７と外筒４により形成される環状収容部に香料Ｐを保持し、内筒７を通して外部に香気を発する。
第２の考案においては、外筒４を透明体とした。
第３の考案においては、内筒７内に挿入し、オイルを補充可能な適量の目盛りを有するスポイト８を具備させた。
【考案の効果】
【０００５】
この考案においては、ペンダントに直接香料を含浸させずに、内部に収容するものであるから、ペンダント本体に接触しても直接香料が手などに付着することがなく、香りが指や服に移り難いし、香料に雑菌等が混入しにくいので変質のおそれが少ない。長尺の内筒を通じて外部に開放するので、香料を簡単に注入でき、補充が容易で、しかも身体の動きに応じてペンダントが揺れ動いても、内筒から香料が飛び出し難く、これを保持し、衣服等に香料が付着し難い。また、外筒を透明体で構成すれば、香料の動きが装飾的効果を発揮するし、香料の補充量が確認しやすい。さらに、スポイトを用いれば、これを内筒に挿入して適量の香料を注入することができるので、香料の補充操作がさらに容易となる。
【考案を実施するための最良の形態】
【０００６】
本考案の実施の一形態を、図面を参照して説明する。
図１ないし図３において、ペンダント１は上部にネックレス等の首掛け紐３を連結することができる本体２と、図４，図５に示すような別体のスポイト８とで構成されている。本体２は、長尺の外筒４とその内部の内筒７とで構成されている。外筒４は透明ガラス製で円筒状を成し、一方の閉塞端５と他方の開放端６とを有する。閉塞端５には、首掛け紐３を直接又は間接的に連結する取付リング５ａが突設されている。内筒７は、外筒４の内側において開放端６に一体に連続して形成されており、外筒４と同心円筒状に延び、開口を有する先端が閉塞端５の近傍に至る。従って、外筒４は内筒７を通して外部に開放している。図５に示すように、開放端６から本体２内に香料であるアロマオイルＰを注入すると、下部の閉塞端５内にアロマオイルＰが溜まるが、アロマオイルＰの上面が内筒７の先端より下位にある量であれば、本体２を傾けて横転させさらに上下反転させても内筒７を通じてアロマオイルがこぼれ落ちることがない。
【０００７】
図４，図５に示すように、スポイト８は本体２にアロマオイルＰを注入する際に内筒７に挿入される。スポイト８には、上記のようにアロマオイルＰがこぼれ落ちることのない適量を香料入れＢから吸い上げるための目盛８ａが設けられている。
【０００８】
このペンダント１は、図５に示すように、本体２の閉塞端６を下側に配置して、開放端６からスポイト８を内筒７内に挿入してアロマオイルＰを注入する。閉塞端５内のアロマオイルＰは本体２を傾けてもアロマオイルＰの上面が内筒７の先端に触れない量であれば、注入した状態から横転させさらに上下反転させてもその途上で、閉塞端６から移行して内筒７と外周壁との間に保持され、内筒７を通じてアロマオイルＰがこぼれ落ちることがない。このようにしてアロマオイルＰは内筒７内に保持されるので、ペンダント１を首に掛けて装着すれば、アロマオイルＰが発する香気が内筒７を通じて外部に発散する。アロマオイルＰは内筒７が長尺で構成されているので内筒７の先端開口に入り難くく、日常生活での行動に伴う動きよっても容易に外部にこぼれ出ることがない。また、透明の外筒７からアロマオイルＰが確認できるのでその動きが装飾的効果を発揮する。アロマオイルＰを補充するときには、図４に示すように、香料入れＢからスポイト８で目盛８ａに合わせて適量を吸い入れ、図５に示すように内筒７内に挿入して注入すればよく、本体２側の特別な開閉操作を伴うことなく、簡単にアロマオイルＰを注入でき、手や衣服に付着することもない。
【産業上の利用可能性】
【０００９】
この考案は、アロマオイルを収容して芳香を発するペンダントに有効である。
【図面の簡単な説明】
【００１０】
【図１】本考案の香料入りペンダントの斜視図である。
【図２】ペンダントの縦断面図である。
【図３】装着状態のペンダントの縦断面図である。
【図４】香料を吸い上げている状態のスポイトの正面図である。
【図５】香料を注入している状態のペンダントの縦断面図である。
【符号の説明】
【００１１】
１    ペンダント
２    本体
３    首掛け紐
４    外筒
５    閉塞端
５ａ  取付リング
６    開放端
７    内筒
８    スポイト
【図１】
0003120073.tif 000003
【図２】
0003120073.tif 000004
【図３】
0003120073.tif 000005
【図４】
0003120073.tif 000006
【図５】
0003120073.tif 000007